【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  入力された画像データに対して補正を施す画像処理装置であって、
入力された前記画像データを、明度および色相から成る色空間に属する画素データに変換する色空間変換手段と、
前記色空間上において、空間領域を指定する空間領域指定手段と、
前記画像データを構成する前記画素データが、前記空間領域指定手段で指定した前記空間領域に属するか否かを判定する判定手段と、
画像処理を施すときの補正量を指定する補正量指定手段と、
前記判定手段により前記空間領域指定手段で指定した前記空間領域に属すると判定された前記画素データについてのみ、前記補正量指定手段により指定した補正量だけ画像処理を施す画像処理手段と、
を備え、
前記画像処理手段は、
前記画像データの彩度を補正する彩度補正処理手段と、
前記画像データの色相を補正する色相補正処理手段と、
前記画像データの彩度および色相を補正する白補正処理手段と、
を備え、
前記空間領域指定手段は、
一の明度を指定することで、前記一の明度から明度の最大値に至る空間領域を指定する手段、
を備え、
前記補正量指定手段は、
前記明度の最大値を有する画素データの彩度および色相の補正量を指定する手段、
を備え、
前記白補正処理手段は、
前記判定手段により前記空間領域指定手段で指定した前記空間領域に属すると判定された全ての前記画素データの補正量を、前記明度の最大値を有する画素データの補正量が、前記補正量指定手段で指定した前記補正量と一致するように、前記一の明度を有する画素データから明度の増加に従って漸次増加させながら、彩度および色相を補正する手段、
を備えることを特徴とする画像処理装置。
【請求項２】  請求項１に記載の画像処理装置であって、
前記補正量指定手段は、
前記色空間上の全ての画素データについて、明度および色相毎に彩度補正量を指定する手段、
を備え、
前記彩度補正処理手段は、
前記判定手段により前記空間領域指定手段で指定した前記空間領域に属すると判定された全ての前記画素データの彩度を、前記補正量指定手段で指定した前記彩度補正量に従って補正する手段、
を備えることを特徴とする画像処理装置。
【請求項３】  請求項１または請求項２に記載の画像処理装置であって、
前記補正量指定手段は、
一の色相を指定する手段、
を備え、
前記色相補正処理手段は、
前記判定手段により前記空間領域に属すると判定された全ての前記画素データの色相を、前記一の色相と同一になるように補正する手段、
を備えることを特徴とする画像処理装置。
【手続補正２】
【補正対象書類名】明細書
【補正対象項目名】０００９
【補正方法】変更
【補正の内容】
【０００９】
【課題を解決するための手段】
上記課題を解決すべく、請求項１に記載の発明は、入力された画像データに対して補正を施す画像処理装置であって、入力された前記画像データを、明度および色相から成る色空間に属する画素データに変換する色空間変換手段と、前記色空間上において、空間領域を指定する空間領域指定手段と、前記画像データを構成する前記画素データが、前記空間領域指定手段で指定した前記空間領域に属するか否かを判定する判定手段と、画像処理を施すときの補正量を指定する補正量指定手段と、前記判定手段により前記空間領域指定手段で指定した前記空間領域に属すると判定された前記画素データについてのみ、前記補正量指定手段により指定した補正量だけ画像処理を施す画像処理手段と、を備え、前記画像処理手段は、前記画像データの彩度を補正する彩度補正処理手段と、前記画像データの色相を補正する色相補正処理手段と、前記画像データの彩度および色相を補正する白補正処理手段と、を備え、前記空間領域指定手段は、一の明度を指定することで、前記一の明度から明度の最大値に至る空間領域を指定する手段、を備え、前記補正量指定手段は、前記明度の最大値を有する画素データの彩度および色相の補正量を指定する手段、を備え、前記白補正処理手段は、前記判定手段により前記空間領域指定手段で指定した前記空間領域に属すると判定された全ての前記画素データの補正量を、前記明度の最大値を有する画素データの補正量が、前記補正量指定手段で指定した前記補正量と一致するように、前記一の明度を有する画素データから明度の増加に従って漸次増加させながら、彩度および色相を補正する手段、を備えることを特徴とするものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に記載の発明は、請求項１に記載の画像処理装置であって、前記補正量指定手段は、前記色空間上の全ての画素データについて、明度および色相毎に彩度補正量を指定する手段、を備え、前記彩度補正処理手段は、前記判定手段により前記空間領域指定手段で指定した前記空間領域に属すると判定された全ての前記画素データの彩度を、前記補正量指定手段で指定した前記彩度補正量に従って補正する手段、を備えることを特徴とするものである。
【手続補正６】
【補正対象書類名】明細書
【補正対象項目名】００１３
【補正方法】変更
【補正の内容】
【００１３】
請求項３に記載の発明は、請求項１または請求項２に記載の画像処理装置であって、前記補正量指定手段は、一の色相を指定する手段、を備え、前記色相補正処理手段は、前記判定手段により前記空間領域に属すると判定された全ての前記画素データの色相を、前記一の色相と同一になるように補正する手段、を備えることを特徴とするものである。
【手続補正７】
【補正対象書類名】明細書
【補正対象項目名】００７７
【補正方法】変更
【補正の内容】
【００７７】
【発明の効果】
入力された画像データに対して補正を施す画像処理装置であって、入力された前記画像データを、明度および色相から成る色空間に属する画素データに変換する色空間変換手段と、前記色空間上において、空間領域を指定する空間領域指定手段と、前記画像データを構成する前記画素データが、前記空間領域指定手段で指定した前記空間領域に属するか否かを判定する判定手段と、画像処理を施すときの補正量を指定する補正量指定手段と、前記判定手段により前記空間領域指定手段で指定した前記空間領域に属すると判定された前記画素データについてのみ、前記補正量指定手段により指定した補正量だけ画像処理を施す画像処理手段と、を備え、前記画像処理手段は、前記画像データの彩度を補正する彩度補正処理手段と、前記画像データの色相を補正する色相補正処理手段と、前記画像データの彩度および色相を補正する白補正処理手段と、を備え、前記空間領域指定手段は、一の明度を指定することで、前記一の明度から明度の最大値に至る空間領域を指定する手段、を備え、前記補正量指定手段は、前記明度の最大値を有する画素データの彩度および色相の補正量を指定する手段、を備え、前記白補正処理手段は、前記判定手段により前記空間領域指定手段で指定した前記空間領域に属すると判定された全ての前記画素データの補正量を、前記明度の最大値を有する画素データの補正量が、前記補正量指定手段で指定した前記補正量と一致するように、前記一の明度を有する画素データから明度の増加に従って漸次増加させながら、彩度および色相を補正する手段、を備えることで、特定の色空間情報を有する画素データに対してのみ、利用者の指定した量だけ彩度および色相を補正することができる。